(57)【要約】      （修正有）【課題】振り込め詐欺防止の為の音声出力、メッセージ表示等ができるようにした振り込め詐欺防止アラーム付電話機を提供する。【解決手段】振り込め詐欺防止の為の音声出力、メッセ−ジ表示又はランプの点滅或いは点灯からなるアラ−ム信号を記録した再生・録音回路１４とスピ−カ−５とディスプレイ４とランプ３とを備える。電話の着信音に基づき送受話器を持ち上げたときに、再生・録音回路１４からアラ−ム信号がスピ−カ−５、ディスプレイ４及びランプ３の少なくとも１つに送出されて、アラ−ム信号の音声がスピ−カ５から出力し、メッセ−ジがディスプレイ４に表示され、又、ランプ３に出力されてランプ３を点滅し或いは点灯させる。【選択図】図２
0003178171.tif 000002
【実用新案登録請求の範囲】
【請求項１】
振り込め詐欺防止の為の音声出力、メッセ−ジ表示又はランプの点滅或いは点灯からなるアラ−ム信号を記録した再生・録音回路とスピ−カ−とディスプレイとランプとを備え、電話の着信音に基づき送受話器を持ち上げたときに、当該再生・録音回路から当該アラ−ム信号が当該スピ−カ−、ディスプレイ及びランプの少なくとも１つに送出されて、当該アラ−ム信号の音声が当該スピ−カから出力し、当該メッセ−ジが当該ディスプレイに表示され、又は、当該ランプに出力されて当該ランプを点滅し或いは点灯させるようになっていることを特徴とする振り込め詐欺防止アラ−ム付き電話機。
【請求項２】
電話機が、再生・録音回路と連動したタイマ−回路を備え、当該タイマ−回路にて設定した時間内にて、スピ−カからの音声出力、ディスプレイにおけるメッセ−ジ表示及びランプの点滅或いは点灯が行われようになっていることを特徴とする、請求項１に記載の振り込め詐欺防止アラ−ム付き電話機。
【考案の詳細な説明】
【技術分野】
【０００１】
本考案は、振り込め詐欺防止アラ−ム付き電話機に関するものである。
【背景技術】
【０００２】
振り込め詐欺（ふりこめさぎ）は、電話やはがきなどの文書などで相手をだまし、金銭の振り込みを要求する犯罪行為である。
従来、オレオレ詐欺などとも呼ばれていた。
振り込め詐欺は、その手口の一つとして、「若い人の声で高齢者に電話をかけ、子や孫を装ったうえで困窮した状況を訴え、金が必要として、だまし取る」ことである。
電話帳に掲載されている氏名欄から、一人暮らしの高齢者と推定される人を選んで、電話をかけ、電話口に出たのが高齢者と見るや、単に「オレオレ」と「名乗り」、遠隔地に住む子や孫であると錯覚させた上で、悲哀に満ちた声や緊迫に満ちた声で、困窮に陥って居る事、例えば、悪徳金融業者から大金を借り、直ぐに返さないと、酷い目に遭わされる状況にあることや交通事故や医療事故を起こして、直ぐに示談金や慰謝料を払わないと収監されるなどの状況を装い、所定の口座へ大金を振り込む様に仕向けるものである。
振り込め詐欺に対しては、その対策として、プリペイド式携帯電話販売時の身元確認を厳しくしたり、その譲渡を禁ずる立法などがなされており、又、その手法を公開し、電話口での対応法や対策についての周知徹底も図られてはいる。
しかしながら、この様な詐欺があるとは承知していても、いざ、電話口で緊迫した声、悲哀に満ちた声を聞かされると、冷静さを保つのは困難で、どうしても犯人のペ−スに乗せられ易いという実験も紹介されている。
又、ある手口が紹介されて警戒が求められると、更に手の込んだ手口を弄して詐取にかかるなど、いたちごっこの様相もある。
【考案の開示】
【考案が解決しようとする課題】
【０００３】
本考案は、上記振り込め詐欺を防止できる新規の技術を提供することを目的としたものである。
本考案の他の目的や新規な特徴については本件明細書及び図面の記載からも明らかになるであろう。
【課題を解決するための手段】
【０００４】
本考案の実用新案登録請求の範囲は、次の通りである。
（請求項１）振り込め詐欺防止の為の音声出力、メッセ−ジ表示又はランプの点滅或いは点灯からなるアラ−ム信号を記録した再生・録音回路とスピ−カ−とディスプレイとランプとを備え、電話の着信音に基づき送受話器を持ち上げたときに、当該再生・録音回路から当該アラ−ム信号が当該スピ−カ−、ディスプレイ及びランプの少なくとも１つに送出されて、当該アラ−ム信号の音声が当該スピ−カから出力し、当該メッセ−ジが当該ディスプレイに表示され、又は、当該ランプに出力されて当該ランプを点滅し或いは点灯させるようになっていることを特徴とする振り込め詐欺防止アラ−ム付き電話機。
（請求項２）電話機が、再生・録音回路と連動したタイマ−回路を備え、当該タイマ−回路にて設定した時間内にて、スピ−カからの音声出力、ディスプレイにおけるメッセ−ジ表示及びランプの点滅或いは点灯が行われようになっていることを特徴とする、請求項１に記載の振り込め詐欺防止アラ−ム付き電話機。
【考案の効果】
【０００５】
本考案による電話機は、振り込め詐欺防止の為の音声出力、メッセ−ジ表示又はランプの点滅或いは点灯からなるアラ−ム信号を記録した再生・録音回路とスピ−カ−とディスプレイとランプとを備えていて、電話の着信音に基づき、特に、高齢者が送受話器を持ち上げたときに、当該再生・録音回路から当該アラ−ム信号が当該スピ−カ−、ディスプレイ及びランプの少なくとも１つに送出されて、当該アラ−ム信号の音声が当該スピ−カから出力し、当該メッセ−ジが当該ディスプレイに表示され、又、当該ランプに出力され、当該ランプを点滅し或いは点灯させるようになっている。
その為、本考案によれば、一人暮らしの高齢者なりが、音声で、例えば、「オレ、オレ  サギニ  チュ−イ  カクニン」のようなオレオレ詐欺による振り込め詐欺を防止できるような文言を耳にし、それを目にし、又、ランプの点滅・点灯を目にすることになる。
そうすることにより、仮に、高齢者がオレオレ詐欺による振り込め詐欺を知っていて、自分は別と考えていても、いざ、電話口で緊迫した声、悲哀に満ちた声を聞かされた時に、冷静さ失い、どうしても犯人のペ−スに乗せられそうになっても、当該オレオレ詐欺による振り込め詐欺を防止できるような文言を耳にし、それを目にし、又、ランプの点滅・点灯を目にすれば、少しでも、警戒心を持つことが出来、振り込め詐欺から守ることができる。
【考案を実施するための最良の形態】
【０００６】
次に、本考案の実施例を図面を参照しつつ説明する。
【実施例】
【０００７】
図４に、押しボタンを操作することによって、電話番号を送出する押しボタン式の固定電話機Ｔの一例を示す。
当該押しボタン式の固定電話機Ｔは、電話番号を送出する押しボタン１の他に、送受話器２、着信／メッセ−ジランプ３、ディスプレイ４、スピ−カ５、スピ−カランプ６等を備えてなる。
図５に、当該押しボタン式の固定電話機Ｔの回路図の一例を示す。当該電話機Ｔの例では、送受話器２を上げ、ＨＳ（フックスイッチ）７が閉じると、交換機側から供給されている線路電流が、ダイオ−ドＤ１〜Ｄ４の全波整流回路８によって発振回路の直流電源を作る。発信周波数の切替は、押しボタン１の接点による発信同調コイル９のインダクタンス切替によって行われ、必要な例えば２つの周波数を同時に発振させるようになっている。尚、当該周波数の組み合わせは、低群Ｓ１１０ａと高群Ｓ２１０ｂとから選択された２種類の周波数を組み合わせることにより行われる。例えば、数字１のボタンを押すと、低群（Ｓ１）１０ａの６９７ＨＺと高群（Ｓ２）１０ｂの１２０９Ｈｚの周波数の電流が送出される。尚、当該電話機には、着信ベル１１を備えてなる。
自動交換機Ｃ側では、当該周波数の電流を受信して、ある周波数範囲を通過させるような特性の電気回路（帯域フイルタ）により周波数の組み合わせを識別し、数字１の信号が送られてきたものと判定する。
【０００８】
本考案では、振り込め詐欺を防止できるように、当該電話機Ｔに、音声やディスプレイ上の表示やランプの点滅・点灯による警報（アラ−ム）を表出するようにする。
従って、当該警報（アラ−ム）は、アラ−ム音、アラ−ム表示及び（又は）アラ−ムランプの点滅・点灯による。
図１は、当該アラ−ム機能を備えた当該電話機の主要回路図の一例で、着信音があり、又は、着信音があって、一人暮らしの高齢者なりが、当該電話機Ｔの送受話器２を上げると、電磁力によって接点を開閉する継電器１２のスイッチが入って、タイマ−回路１３を作動させ、再生／録音回路１４から再生のアラ−ム音（音声）がスピ−カ５に送出されるようになっている。当該音声は、例えば、「オレ、オレ  サギニ  チュ−イ  カクニン」のようなオレオレ詐欺による振り込め詐欺を防止できるような文言とする。
又、図１に示すように、当該再生／録音回路１４から固定電話機Ｔのディスプレイ４に、上記のような文言のメッセ−ジが出力されてアラ−ム表示が行われる。
同時に、当該再生／録音回路１４から固定電話機のランプ３に、ランプ点滅・点灯の為のアラ−ム信号が出力されて、アラ−ムランプが点滅又は点灯（例えば青色点滅又は点灯）するようになっている。
音声やメッセ−ジは、例えば、「オレ、オレ  サギニ  チュ−イ  カクニン」のようなオレオレ詐欺による振り込め詐欺を防止できるような文言とする。
これにより、当該音声を聞き、又は、メッセ−ジを見れば、高齢者に対して、少しでも、警戒心を持たせることができ、オレオレ詐欺による振り込め詐欺を知っていても、いざ、電話口で緊迫した声、悲哀に満ちた声を聞かされると、冷静さを保つのが困難で、どうしても犯人のペ−スに乗せられ易いという高齢者を、振り込め詐欺から守ることができる。
【０００９】
図２は、当該再生／録音回路１４の回路図の一例で、記憶素子（ＲＡＭ）１４０には、上記したような音声が記録されている。その旨のメッセ−ジ及びランプ点滅・点灯の為のアラ−ム信号が、当該記憶素子（ＲＡＭ）１４０に記録されている。
再生・録音機構から再生側の接点１４３ａにスィッチが入ると、電流が抵抗１４１、パワ−アンプ１４２、接点１４３ｂに送られ、スピ−カ５にて上記音声がアナウンスされる。
一方、当該音声の再生と同時に、当該記憶素子（ＲＡＭ）１４０に記録されたその旨のメッセ−ジ及びランプ点滅・点灯の為のアラ−ム信号が、当該記憶素子（ＲＡＭ）１４０から送出され、固定電話機Ｔのディスプレイ４に、上記のような文言のメッセ−ジが出力されてアラ−ムメッセ−ジ表示が行われ、同時に、固定電話機のランプ３に、ランプ点滅・点灯の為のアラ−ム信号が出力されて、アラ−ムランプが点滅又は点灯するようになっている。
【００１０】
図３は、上記操作のタイミングチャ−ト図で、着信音が鳴って、送受話器を上げると、アラ−ム音声の再生、アラ−ム表示、及びランプ点滅及び（又は）点灯の少なくとも一つが始まり、タイマ−回路１３と連動して、何秒かのタイマ−回路１３による制御で、当該アラ−ム音声の再生、アラ−ムメッセ−ジ表示、及びランプ点滅及び（又は）点灯の少なくとも一つが行われ、一定時間の到達後、当該再生、メッセ−ジ表示、及びランプ点滅及び（又は）表示の少なくとも一つが終了するようになっている。
【００１１】
本考案は上記実施例に限定されず、適宜変更が可能である。
【産業上の利用可能性】
【００１２】
本考案の固定電話機は、上記で例示しない他の各種の電話機にも適用できる。
【図面の簡単な説明】
【００１３】
【図１】本考案の実施例を示すアラ−ム機能を備えた電話機の主要回路図である。
【図２】本考案の実施例を示す再生／録音回路の回路図である。
【図３】本考案の実施例を示すタイミングチャ−ト図である。
【図４】本考案で使用される固定電話機の一例構成図である。
【図５】本考案で使用される固定電話機の一例回路図である。
【００１４】
１    押しボタン
２    送受話器
３    着信／メッセ−ジランプ
４    ディスプレイ
５    スピ−カ
６    スピ−カランプ
７    フックスイッチ
８    全波整流回路
９    発信同調コイル
１０ａ  低群Ｓ１
１０ｂ  高群Ｓ２
１１  着信ベル
１２  継電器
１３  タイマ−回路
１４  再生／録音回路
Ｔ  固定電話機
Ｃ  自動交換機
【図１】
0003178171.tif 000003
【図２】
0003178171.tif 000004
【図３】
0003178171.tif 000005
【図４】
0003178171.tif 000006
【図５】
0003178171.tif 000007